(57)【要約】本発明は、記録手段を使用して情報信号を第一コピー保護情報で記憶媒体に記録するための方法と配置に関し、かかる記録は第一コピー保護情報によって識別される第一コピー規則にしたがって実行される。本方法は、第一コピー保護情報が第一コピー規則を識別することを検出する段階と、検出された第一コピー規則にしたがって少なくとも第二コピー保護情報を記録する段階を含み、第一と少なくとも第二コピー保護情報は読取り手段によって解釈される適法性メッセージを識別し、少なくとも第二コピー保護情報は解釈する規則にしたがって検出された第一コピー規則の変化後に所定のタイムインターバル内で変化する。
2004533737.tif 000002
【特許請求の範囲】
【請求項１】
記録手段を使用して記憶媒体に第一コピー保護情報で情報信号を記録する方法であって、前記記録は前記第一コピー保護情報によって識別される第一コピー規則にしたがって実行され、前記方法は、
−前記第一コピー保護情報が前記第一コピー規則を識別することを検出する段階と、
−前記第一コピー保護情報と少なくとも第二コピー保護情報は読取り手段により解釈される適法性メッセージを識別し、前記少なくとも第二コピー保護情報は、解釈する規則にしたがって、前記検出された第一コピー規則で変化した後に、所定のタイムインターバル内で変化することを特徴とする、前記検出された第一コピー規則にしたがって、前記少なくとも第二コピー保護情報を記録する段階と、
を含むことを特徴とする方法。
【請求項２】
前記第二コピー保護情報は、前記検出された第一コピー規則にしたがって第三コピー保護情報との組み合わせで記録され、前記第一コピー保護情報と共なる前記第二及び前記第三コピー保護情報の前記組み合わせは、前記読取り手段によって解釈される前記適法性メッセージを識別し、前記第二及び前記第三コピー保護情報の前記組み合わせは、解釈する規則にしたがって、前記検出された第一コピー規則で変化した後に、所定のタイムインターバル内で変化することを特徴とする、請求項１に記載の方法。
【請求項３】
前記第一コピー保護情報は第一ウォーターマークであり、ここで前記第二コピー情報は暗号化された情報信号か、又は解読された情報信号の何れかであり、前記情報信号の暗号化は第一の安全な所定レベルを有する第一暗号化処理で実行され、かつ、前記第三コピー情報は第二ウォーターマークであることを特徴とする、請求項２に記載の方法。
【請求項４】
前記解釈する規則に関する情報は前記第一ウォーターマークのペイロードに位置することを特徴とする、請求項３に記載の方法。
【請求項５】
前記解釈する規則は、前記情報信号の暗号化状態が前記タイムインターバルで変化すべきではないことを特徴とする、請求項３又は４に記載の方法。
【請求項６】
前記解釈する規則は、前記情報信号の暗号化状態が前記タイムインターバル後に変化すべきであることを特徴とする、請求項３又は４に記載の方法。
【請求項７】
前記タイムインターバルの値はまた、前記第一ウォーターマークの前記ペイロードに位置することを特徴とする、請求項３乃至６の何れかに記載の方法。
【請求項８】
位置情報は前記ウォーターマークの前記ペイロードに位置し、前記位置情報は、前記第一ウォーターマーク情報と関係する、前記情報信号の特定部分を識別することを特徴とする、請求項３乃至７の何れかに記載の方法。
【請求項９】
前記位置情報は、前記情報信号の前記特定部分の所定位置を識別することを特徴とする、請求項８に記載の方法。
【請求項１０】
前記位置情報は、前記特定部分における持続時間の受信情報と前記特定部分における現下の時間位置の受信情報から得られることを特徴とする、請求項８に記載の方法。
【請求項１１】
前記ペイロードは所定のタイムインターバルで変化されることを特徴とする、請求項４乃至１０の何れかに記載の方法。
【請求項１２】
情報信号の読取り方法であって、該方法は、
−第一コピー保護情報と記録手段によって加えられる、少なくとも第二コピー保護情報から解釈される適法性のメッセージの存在を検出する段階と、
−情報信号の前記適法性が決定される以前に所定のタイムインターバルにおいて無視される、前記適法性のメッセージにしたがって前記情報信号の前記適法性を決定する段階と、
を含むことを特徴とする、方法。
【請求項１３】
前記適法性のメッセージは第二及び第三コピー保護情報の組み合わせから解釈され、前記第二及び第三コピー保護情報は記録手段によって加えられて有することを特徴とする、請求項１２に記載の方法。
【請求項１４】
前記第一コピー保護情報は第一ウォーターマークであり、ここで前記第二コピー情報は暗号化された情報信号か、又は解読された情報信号の何れかであり、前記情報信号の暗号化は第一の安全な所定レベルを有する第一暗号化処理で実行され、かつ、前記第三コピー情報は第二ウォーターマークであることを特徴とする、請求項１３に記載の方法。
【請求項１５】
記録手段を使用して記憶媒体に第一コピー保護情報で情報信号を記録する配置であって、前記記録は前記第一コピー保護情報によって識別される第一コピー規則にしたがって実行され、前記配置は、
−前記第一コピー保護情報が前記第一コピー規則を識別することを検出する手段と、
−前記第一コピー保護情報と少なくとも第二コピー保護情報は読取り手段により解釈される適法性メッセージを識別し、前記少なくとも第二コピー保護情報は、解釈する規則にしたがって、前記検出された第一コピー規則で変化した後に、所定のタイムインターバル内で変化することを特徴とする、前記検出された第一コピー規則にしたがって、前記少なくとも第二コピー保護情報を記録する手段と、
を含むことを特徴とする手段。
【請求項１６】
情報信号を読取るための配置であって、該配置は、
−第一コピー保護情報と記録手段によって加えられる、少なくとも第二コピー保護情報から解釈される適法性のメッセージの存在を検出する手段と、
−情報信号の前記適法性が決定される以前に所定のタイムインターバルにおいて無視される、前記適法性のメッセージにしたがって前記情報信号の前記適法性を決定することと、
を含むことを特徴とする、配置。
【請求項１７】
前記請求項１５によって記録に影響を及ぼし、及び／又は前記請求項１６によって再生に影響を及ぼす、情報信号を記録するか、又は読取るための装置。
【発明の詳細な説明】
【０００１】
発明の分野
本発明は情報信号を記録するための方法と配置に関し、本発明はまた情報信号を読取るための方法と配置に関する。さらに本発明は、情報信号を記録及び／又は読取るための装置に関する。
【０００２】
発明の背景
安価なデジタルＩＣ技術の到来で、２つの新方式：暗号化とウォーターマーキング（ｗａｔｅｒｍａｒｋｉｎｇ）がマルチメディアの内容物（ビデオ、オーディオなど）を保護するために存在している。それらのツールは、すでに存在している、ＣＤ及びビデオにおけるＣＧＭＳコピービット、ＶＣＲにおけるマクロビジョンスポイラー（Ｍａｃｒｏｖｉｓｉｏｎ  ｓｐｏｉｌｅｒ）信号などのようなものに加えられた。かかる保護方法はすべて特異的な長所と弱点を有するので、それらは様々な組み合わせにおける混合として適用されるか、又は適用されるであろう。
【０００３】
ウォーターマークは、マルチメディアの内容物を含む情報／ホスト信号に埋め込まれるか／加えられる、微細なラベルである。ラベルは、例えば、著作権情報、コピー保護情報、内容物の所有者名を含むかもしれない。ウォーターマークに保存されるかもしれないし、又はウォーターマークに基づいて引き出されるかもしれない、情報は、通常はペイロード（ｐａｙｌｏａｄ）として呼ばれ、ビットで表される。ほとんどのウォーターマークにおけるスキームにおいて、ウォーターマークは、時間、空間、又は変換された領域（例えば、フーリエ（Ｆｏｕｒｉｅｒ）、ディスクリートコサイン（Ｄｉｓｃｒｅｔｅ  Ｃｏｓｉｎｅ）又はウェーブレットドメイン（Ｗａｖｅｌｅｔ  Ｄｏｍａｉｎ））の何れかにおいてホスト信号／情報に加えられる、偽似乱数のノイズ連鎖（ａ  ｐｓｅｕｄｏ−ｒａｎｄｏｍ  ｎｏｉｓｅ  ｓｅｑｕｅｎｃｅ）（ｐｎ連鎖）である。次いで、ウォーターマークの検出は、通常は、ウォーターマークと埋め込まれたホスト信号との間の相関性に基づいている。
【０００４】
興味深いリアルタイム問題を所有する、関係する内容物の一部が再生／記録された後で、ウォーターマークは検出されて、復号される。多くの一般的なコピー保護システム構造は、下記の公理を約束する。
【０００５】
１．アナログ（解読されたデジタル）供給源から記録する場合、レコーダによって一度コピーされるかもしれないことを示して、入って来る内容物が一度ウォーターマークされたコピー（ＣＯ）であれば、しかし、第一コピーのそれ以上のコピーは容認されず、この内容物は、
（ａ）注意される。つまり、第二ウォーターマークは、再びコピーすることができないことを示して加えられるだろう。もはやコピーされない（ＣＮＭ）。
【０００６】
（ｂ）記憶メディア（テープ、光又は磁気ディスク）への転送前に暗号化される。例えば、ＤＶＤフォラムの作動グループ９は、ディスク上に保存されている一方、コピーが一度なされた内容物が暗号化されるだろうことを命じた。４ＣＣＰＳＡコピー保護構造（ＩＢＭ、インテル、松下、東芝による記録されたメディアにおけるコピー保護）は、別の実施例である。
【０００７】
内容物がマークされたＣＯである場合、明白に再び記録されないだろうことがすでに注意される（ＣＮＭ）。
【０００８】
２．決してコピーされない（ＣＮ）又はＣＮＭとしてウォーターマークされた内容物は記録されないであろう。
【０００９】
３．コピーフリー（ＣＦ）のウォーターマークされた内容物又は短いコピーフリー（ＣＦ）のウォーターマークされない内容物は、さらなる暗号化を必要とせずに記録されるかもしれない。これは形式的には同意されず、しかしコミュニスオピニオ（ｃｏｍｍｕｎｉｓ  ｏｐｉｎｉｏ）の状態を維持する。
【００１０】
４．プレーヤーにおいて、ＣＮＭとＣＮの内容物は記録キャリアで暗号化されるべきである。したがって、ＣＮＭ又はＣＮウォーターマークを備える暗号が解読された内容物は、違法であると考慮される。それによって、違法な内容物での媒体の再生は不可能であり、違法な内容物は、例えば、ディスクにウォーターマークされた内容物をダンピングするために不承諾なレコーダを使用する著作権侵害者によって記録される。
【００１１】
５．ウォーターマークは解読された内容物（再生及び記録）において単にチェックする必要がある。
【００１２】
近年、内容物の新規分類が“コピーフリー、インターネット再送信不可（ＣＦＮＩＲ）”として定義され、それは自宅で自由にコピーできるが、例えばインターネットを介して自宅外に再送信されないことを意味する。それは注意段階なしで、ＣＯ内容物として扱われる。かかる内容物において、下記の公理が定義される。
【００１３】
６．“コピーフリー、インターネット再送信不可（ＣＦＮＩＲ）”としてウォーターマークされた内容物は記録されるかもしれない。この物質は記憶媒体（テープ、光又は磁気ディスク）に転送する以前に暗号化されてもよい。
【００１４】
内容物を記録し再生する場合に、ＣＮＭ、ＣＮ、ＣＦ及びＣＯに関するウォーターマークにおける情報は解釈され、公理で定義されるように使用される。
【００１５】
それらの記載された公理は３タイプのレコーダで処理されるべきである。
【００１６】
承諾のＣＯ可能。
【００１７】
それらのタイプのレコーダはＣＯ記録ができる。
【００１８】
承諾のＣＯ不可能。
【００１９】
それらのタイプのレコーダは、例えば、注意できないか、又は公理１にしたがって暗号化できないために、ＣＯ内容物を記録できない。レコーダは、ＣＮ又はＣＯ状態を認識するウォーターマーク検出器を有する。
【００２０】
不承諾のレコーダ。
【００２１】
それらのタイプのレコーダは偽造者又は受け継いできた装置によって改良される。
【００２２】
ウォーターマーク検出は、根本的な内容物（多くのエッジ、高い標準偏差など）、入って来る信号のＳＮ比（ＳＮＲ）、同期などの性質のようなものに極度に依存する成功した検出の可能性を備える、統計上の処理である。結果は、一時的に、ウォーターマークの脱落が発生するかもしれないし、公理１によってＣＯ内容物の記録中に暗号化処理は中断されるだろう。
【００２３】
これは副次的で最適な内容物保護の結果となるだけではなく、解読された内容物の断続的な広がりが、さらに再生において消費者に対する大きな脅威となる。上の公理４で言及したように、ウォーターマーク検出器は記録段階で操作するだけでなく、再生段階でも操作する。検出処理の統計的な性質のために、レコーダのウォーターマーク検出器がＣＯウォーターマークを識別せず、プレーヤーの検出器が解読された広がりのうちの１つにおいてＣＯウォーターマークを識別する際に、非常に頻繁に発生する。公理４は、ＣＯ内容物がすべて暗号化されるべきためにプレーヤーがこれを不法なものとして解釈しなければならず再生を中止するであろうことを命令する。市場における多数のレコーダとプレーヤーにおいて、レコーダとプレーヤーにおける異なるウォーターマーク検出器における振舞いの可能性は大きくないが、それは無視することはできない。
【００２４】
第二の関連する問題は、ＣＯ内容物に続いてＣＦ内容物を記録しようとする、承諾のＣＯ不可能タイプのレコーダである。慣習的にタイマーは、レコーダがコピーできず、コピーを望まない、ＣＯ部分の終了直前にセットされる。しかしながら、所望のショーが進行し、ウォーターマークが消滅する場合、ウォーターマークの脱落又は公理３によってウォーターマークを有しない所望のＣＦショーの始めとしてこれを解釈するべきかどうかをレコーダは分からない。
【００２５】
第三の関連する問題は、ＣＦ内容物によって続くＣＯ内容物を含有する記録を成す、承諾のＣＯ可能タイプのレコーダである。これは、異なるウォーターマーク状態の２つの隣接するショーによるためだけでなく、例えば、セットトップボックス上のチャンネル変化のために発生する。変換中に２つの問題が生じ、一つは、ウォーターマーク検出に潜在期間があり、つまり暗号化／注意は時間がかなり経ってから切断され、第二としては、再度ウォーターマーク検出が、ウォーターマークされない情報信号が、脱落したか又はＣＦ内容物を表すかどうかを確定できないことである。
【００２６】
ＣＯ及びＣＦ内容物の両者を暗号化することによって上に言及された問題を解決することを提案する。ＣＦ内容物がさらに暗号化される場合、ウォーターマーク検出の脱落はありふれたこととしてなされる。ＳＤＭＩの場合における数多の実行がこの原理を取り入れているが、消費者が消費者自身で生成した（例えば、ホームビデオの編集は認可されたソフトウェアを必要とする）内容物の処理においても、消費者が承諾のソフトウェア（つまり、解読キーを含む）を必要とすることが主要な欠点である。暗号化キーを認可する代理人が、ビデオの編集のコンピュータプログラム、暗号化システムの重大な秘密を潜在的に漏らすためにキーを活用したいかどうかは明らかではない。
【００２７】
本発明の目的と概要
本発明の目的は、上に言及した問題を解決するための方法を提供することである。
【００２８】
本発明の目的は、記録手段を使用して記憶媒体に第一コピー保護情報で情報信号を記録する方法（及び、対応する配置）によって達成され、かかる記録は第一コピー保護情報によって識別される第一コピー規則にしたがって実行され、かかる方法は、下記の段階を含み、それらは、
−第一コピー保護情報が第一コピー規則を識別することを検出する段階と、
−検出された第一コピー規則にしたがって、少なくとも第二コピー保護情報を記録する段階であって、第一コピー保護情報と少なくとも第二コピー保護情報は読取り手段により解釈される適法性メッセージを識別し、少なくとも第二コピー保護情報は、解釈する規則にしたがって検出された第一コピー規則で変化した後に、所定のタイムインターバル内で変化することを特徴とする、検出された第一コピー規則にしたがって、少なくとも第二コピー保護情報を記録する段階と、
を含んでいる。
【００２９】
本発明の好ましい実施態様は、サブクレームで定義される。
【００３０】
本発明は、さらに、
−第一コピー保護情報と記録手段によって加えられる、少なくとも第二コピー保護情報から解釈される適法性メッセージの存在を検出する段階と、
−情報信号の適法性が決定される以前に所定のタイムインターバルにおいて無視される、適法性メッセージにしたがって情報信号の適法性を決定する段階と、
を含む、情報信号を読取る方法に関する。
【００３１】
本発明はまた、上の記載にしたがって情報信号を記録するか、又は読取る装置に関する。
【００３２】
本発明によって、情報信号を記録する方法は、一貫しないコピー保護信号の問題を解決することで得られる。時間の遅れ／ヒステリシスを導入することによって、情報信号を記録し及び／又はリーダーが情報信号の適法性を決定する場合にこれを解決する。
【００３３】
好ましい実施態様の記載
下記の本発明の好ましい実施態様は、図面を参照して記載されるだろう。
【００３４】
下記に記載の確定された問題は、図１乃至４を参照して記載されるだろう。下記は、確定された問題を解決する、本発明の好ましい実施態様の記載である。
【００３５】
下記に記載の実施態様において、第一コピー保護情報は、コピー規則である、ＣＦ（コピーフリー）、ＣＦＮＩＲ（コピーフリーであるが、インターネットでの再送信不可）又はＣＯ（一度だけのコピー）を識別するウォーターマークである。第二コピー保護情報は、暗号化された情報信号であるか、又は解読された情報信号であり、第三コピー情報はＣＮＭ（コピー不可）を表すウォーターマークの存在である。
【００３６】
図１は、情報信号における、ある内容物１１２がウォーターマークＣＦ（コピーフリー）を有し、別の内容物１１３がウォーターマークＣＯ（一度だけのコピー）を有する際の情報信号のウォーターマーク情報１０１を例示する。図はまた、情報信号の情報のタイプが変化する場合において、どのようにウォーターマーク情報が変化するかを例示する。上に記載の公理１により、情報信号を読取る場合に、ＣＯ内容物は暗号化（ＥＮＣ）されてＣＮＭ（コピー不可）でマークされ、ＣＦ内容物は１０３によって示されるようにクリアーテキスト（ＣＴ）を維持すべきである。
【００３７】
図２は、ウォーターマークの脱落を備える図１の信号の記録における、ウォーターマーク検出器と暗号器のリアルタイムの振舞いを例示する。ＣＦ内容物からＣＯ内容物へ、さらにＣＦ内容物へ戻る間の移り変わりが示され、ＣＦ内容物１１２は例えばニュースであり、ＣＯ内容物１１３は映画でありうる。ウォーターマーク信号は２０１に例示され、記録された情報信号の暗号化状態は２０３で例示される。２２５と２２７において、ウォーターマーク情報はＣＯとして検出されるべきであるが、しかし、ウォーターマークはＣＦとして検出され、それによって情報信号は公理３にしたがって暗号化されない。次いで、リーダーが情報を読取る場合、２２５と２２７において脱落がない可能性があり、それによって、情報信号は、解読された情報信号と検出されたＣＯ内容物の組み合わせであるために、違法であると考慮される。
【００３８】
図３は、ＣＯ不可能なレコーダでＣＯからＣＦ内容物への変換における、ウォーターマーク検出器と暗号器のリアルタイムの振舞いを例示する。ＣＯ内容物からＣＦ内容物への変換が示されており、ＣＦ内容物３０３は、例えばニュースであり、ＣＯ内容物３０１は映画でありうる。ウォーターマーク信号３０５は、ＣＯ又はＣＦの何れかであり、記録状態３０７は記録中（ＲＥＣ）か、又は停止された（Ｓ）の何れかである。ウォーターマークがＣＦに変化する場合、レコーダは記録を開始するべきである。ウォーターマークの検出を実行するために必要とされる時間のために、ウォーターマーク情報の検出が遅れる場合、記録がかなり遅れて開始され、ＣＦ内容物３０３の開始３０９は記録されない。
【００３９】
図４は、ＣＯ可能なレコーダでＣＯからＣＦ内容物への変換における、ウォーターマーク検出器と暗号器のリアルタイムの振舞いを例示する図である。ＣＯ内容物からＣＦ内容物への変換が示されており、ＣＦ内容物４０３は、例えばニュースであり、ＣＯ内容物４０１は映画でありうる。ウォーターマーク信号４０５は、ＣＯ又はＣＦの何れかであり、暗号化状態４０７は暗号化（ＥＮＣ）されたか、又はクリアーテキスト（ＣＴ）の何れかであり、注意状態４０９は注意（ＲＭ）されたか、又は注意されない（！ＲＭ）、何れかである。ＣＯ可能なレコーダが公理１にしたがって情報信号を記録する場合、注意状態又は暗号化状態の何れかがかなり遅く変化され、ウォーターマーク検出を実行するために必要とされる時間のために、ＣＯ物質は注意される。
【００４０】
ヒステリシスを導入することは、上のすべての脱落とウォーターマーク検出の遅延問題を解決できる。本発明によると、一度だけのコピーのウォーターマークが落ちた後で所定のタイムインターバルにおいてレコーダが暗号化を維持し、及び／又はウォーターマーク検出器を備えるリーダーは第二タイムインターバル内に適法性としてウォーターマークを備える解読された内容物を考慮し、したがって、リーダーは第二タイムインターバル内において、既に記載の公理４を無視する。
【００４１】
図５はヒステリシスを使用した場合のレコーダとリーダーの機能性を例示する。情報信号のウォーターマーク状態５０１は、タイムインターバル内のＣＯであり、かつインターバル外のＣＦである。レコーダは５０３によって示される情報信号のウォーターマーク状態を検出し、ウォーターマーク状態は４回のＣＯである、５０５、５０７、５０９、５１１に代わってＣＦとして誤って検出される。公理１にしたがって、検出されたウォーターマークがＣＯウォーターマークからＣＦウォーターマークに変化する場合、レコーダは情報信号の暗号化を停止（暗号化状態を変化）すべきである。所定のタイムインターバル５１５、情報信号の暗号化の停止、検出されたウォーターマーク状態５０７からの誤った結果のために、情報信号の暗号化状態は５１３として示され、回避される。
【００４２】
レコーダーヒステリシスのために、ＣＯウォーターマーク部分の終了におけるＣＯからＣＦへの変換におけるＣＦ内容物は暗号化されるが、しかしもはや所定のタイムインターバル５２１ではないことを認識すべきである。
【００４３】
さらに、再生装置又はリーダーは、所定のタイムインターバルにおいて無視される公理４に帰着する、ヒステリシスを有する。読取り検出５１９は図５に例示され、公理４が満たされない場合、暗号化状態はタイムインターバル５１７において無視され、それによってウォーターマーク情報信号の暗号化状態が非暗号化（クリアーテキスト）として検出される場合、情報化信号はタイムインターバル５１７内で適法性であるとは考慮されない。
【００４４】
レコーダーとリーダーの両者にヒステリシスを有しており、２つの効果を有する：
１．システムは、レコーダヒステリシス及びリーダーヒステリシスの合計であるタイムインターバルにおける脱落に対処することができる。
【００４５】
２．さらに情報信号のウォーターマークにおけるＣＦからＣＯへの変化に対処して、レコーダは、この変化をリーダー及びリーダーヒステリシスが、この不完全な検出が解釈されることを回避するほど速く検出しないかもしれない。
【００４６】
賢明な方法でタイムインターバルのサイズを選択することによって、脱落及びウォーターマーク検出の遅延問題は、少なくとも最小限にでき、恐らく削除することができる。
【００４７】
特定の実施態様において、レコーダヒステリシスはゼロ分に設定され、リーダーヒステリシスのみが使用される。それによって、ＣＦ内容物の偶発的な暗号化は起こらないが、しかし暗号化されていない、数多の記録されたＣＯ内容物が存在する。
【００４８】
実施態様において、ウォーターマークのペイロードにおけるビットは保存され、このビットが設定される場合は特定の規則にしたがってレコーダヒステリシスの使用として解釈され、設定されない場合においてヒステリシスはゼロに設定されるべきではない。それによって、ヒステリシスは情報信号における特定の内容物の特定部分にしたがって制御できうる。情報信号で異なるウォーターマーク状態（２つのショー間のＣＯからＣＦへの変換）を有する内容物がある場合、ヒステリシスはゼロに設定され、ＣＦ内容物が暗号化されることが回避される。
【００４９】
ヒステリシスを使用する接続で使用されるべき特定の規則は、例えば、下記である。
【００５０】
１．少なくとも確定された時間／確定された時間以内において暗号化を維持する。
【００５１】
２．確定された時間内／確定された時間より以前ではなく暗号化を停止する。
【００５２】
３．確定された時間内／確定された時間より以前ではなく暗号化を開始する。
【００５３】
規則２は、図３及び図４と一致して記載された問題を解決するために特に有利である。
【００５４】
ヒステリシスにおいて使用される時間の大きさは、ウォーターマークペイロードにおける追加的な情報として記憶されうる。それによって、潜在的に多数の検出誤差にもかかわらず、レコーダは、ウォーターマーク検出条件に関係なくどれくらいの時間において暗号化し続ける必要があるかを知るだろう。
【００５５】
改善された検出の脱落回避及びウォーターマーク状態の変換は、一般にペイロード帯域幅の損失に帰着する。しかしながら、ペイロード帯域幅は、ウォーターマークに記憶される付加的な情報の確率分布が全く一様ではないので、ウォーターマークペイロードに加える前に情報をハフマン（Ｈｕｆｆｍａｎ）コード化によって、保存されて、実際に１．５乃至２時間の範囲でピークに達する。
【００５６】
図６は、ヒステリシスを使用する場合のレコーダとリーダーの別の実施態様を例示する。かかる実施態様において、ヒステリシスは、情報信号の特定部分において、検出されたウォーターマークが属する場所に関する情報との組み合わせで使用される（ヒステリシス情報状態と呼ばれる）。特定部分はショーでありえ、例えば、ショーの開始、ショーの中間、及びショーの終了でありうる。このヒステリシス状態の情報は、ウォーターマークペイロードに位置される。図６において、かかるヒステリシス状態の情報６０３の解釈は、ショーの開始（ＳＴ）６０５、ショーの中間（Ｍ）６０７及びショーの終了（Ｅ）が確定して、示されている。状態の情報はヒステリシスの制御ために使用され、例えば、レコーダは、ショーの終了ではなくショーの中間においてのみヒステリシスを使用するべきである。
【００５７】
情報信号のウォーターマーク状態６０９は、タイムインターバル内のＣＯであり、インターバル外のＣＦである。レコーダは、情報信号の６１１で示されるように、ウォーターマーク状態を検出する。公理１にしたがって、検出されたウォーターマークがＣＯウォーターマークからＣＦウォーターマークに変化する場合、レコーダは暗号化を停止（暗号化状態を変化する）すべきである。所定のタイムインターバル６１５、情報信号の暗号化の停止、検出されたウォーターマーク状態からの結果のために、情報信号の暗号化状態は６１３として示され、回避される。ヒステリシス状態の情報のために、ＣＯウォーターマーク部分の終了におけるＣＯからＣＦへの変換におけるＣＦ内容物は暗号化されないことを認識すべきである。
【００５８】
本発明の特定の実施態様において、ウォーターマークのペイロードは、上の記載にしたがってヒステリシス制御において使用できうる、２つのパケットを含む。情報信号の特定部分の持続時間を明確にする第一パケットは、５分間スロット（５  ｍｉｎ．  ｓｌｏｔｓ）のような特定の粒状度と共に使用することができうる。第二部分は、情報信号の特定部分に対して我々がどれくらいの距離であるかを明確にする。実施態様において、第一タイプのパケットは、レコーダが特定部分の開始をミスするか、又は検出器が開始時における基準より劣って実行しているかもしれないので、連続的に放送されるべきである。明白ではあるが、第一タイプのパケットは、第二タイプのパケットと同じくらいの頻度で放送する必要がない。さらなる利点は、情報（映画）の特定部分が別の部分（コマーシャル）によって妨害されている場合にレコーダがパケットの受信した第二タイプを用いて再同期できる。
【００５９】
ヒステリシス制御において使用される情報を得る、さらなる方法は、ＰＤＣ／ＶＰＳ制御信号からの情報を使用することによって可能でありうる。ＰＤＣ／ＶＰＳは、放送局がプログラムの遅延のＶＣＲを知らせる、テレビプログラムを含む、信号の名称である。それらのビットの情報は、一つの方法又は別の方法で、“プログラムがちょうど開始したところ”又は“プログラムがまさに開始／終了するところである”に等しい。
【００６０】
上に記載のようにウォーターマークに情報を追加する特定の実施態様において、情報は規則的なインターバルでのみ通信するべきである。ウォーターマークペイロードが非常に狭い帯域幅チャンネルであるために、前述の情報通信が成されるべきである。
【図面の簡単な説明】
【図１】
情報信号におけるウォーターマーク情報を例示する図である。
【図２】
ウォーターマークの脱落を備える図１の信号の記録における、ウォーターマーク検出器と暗号器のリアルタイムの振舞いを例示する図である。
【図３】
ＣＯ不可能なレコーダでＣＯからＣＦ内容物への変換における、ウォーターマーク検出器と暗号器のリアルタイムの振舞いを例示する図である。
【図４】
ＣＯ可能なレコーダでＣＯからＣＦ内容物への変換における、ウォーターマーク検出器と暗号器のリアルタイムの振舞いを例示する図である。
【図５】
ヒステリシスを使用する場合に、レコーダとリーダーの機能性を例示する図である。
【図６】
ヒステリシス状態の情報と組み合わせたヒステリシスを使用する場合に、レコーダとリーダーの別の実施態様を例示する図である。
【国際公開パンフレット】
2004533737.tif 000003
2004533737.tif 000004
2004533737.tif 000005
2004533737.tif 000006
2004533737.tif 000007
2004533737.tif 000008
2004533737.tif 000009
2004533737.tif 000010
2004533737.tif 000011
2004533737.tif 000012
2004533737.tif 000013
2004533737.tif 000014
2004533737.tif 000015
2004533737.tif 000016
2004533737.tif 000017
2004533737.tif 000018
2004533737.tif 000019
【国際公開パンフレット（コレクトバージョン）】
2004533737.tif 000020
【国際調査報告】
2004533737.tif 000021
2004533737.tif 000022